(57)【要約】  【課題】  従来の乗用草刈機においては、コレクターを最下位置において車体の中央に傾斜なく収容することが困難である。  【解決手段】  コレクター７００が昇降操作における最下位置にあるとき、左側リンクフレーム当接部材４５０Ｌの当接面４５１Ｌが左側支持台受け部材１５０Ｌの受け面１５１Ｌに当接するように、左側リンクフレーム当接部材４５０Ｌ、および左側支持台受け部材１５０Ｌは配置されており、コレクター７００が昇降操作における最下位置にあるとき、右側リンクフレーム当接部材４５０Ｒの当接面４５１Ｒが右側支持台受け部材１５０Ｒの受け面１５１Ｒに当接するように、右側リンクフレーム当接部材４５０Ｒ、および右側支持台受け部材１５０Ｒは配置されており、左側支持台受け部材１５０Ｌの受け面１５１Ｌは、傾斜しており、右側支持台受け部材１５０Ｒの受け面１５１Ｒは、傾斜している乗用草刈機である。【選択図】  図８
2018102237.tif 000002
【特許請求の範囲】
【請求項１】
車体と、
草を刈取る、前記車体に取付けられたモアーと、
前記刈取られた草を収容するコレクターと、
前記コレクターの昇降操作を行うコレクター昇降リンク機構と、
を備え、
前記コレクター昇降リンク機構のリンクフレームには、左側リンクフレーム当接部材、および右側リンクフレーム当接部材が前記車体の左右方向に関して一対で設けられており、
前記車体の支持台には、左側支持台受け部材、および右側支持台受け部材が前記左右方向に関して一対で設けられており、
前記コレクターが前記昇降操作における最下位置にあるとき、前記左側リンクフレーム当接部材の当接面が前記左側支持台受け部材の受け面に当接するように、前記左側リンクフレーム当接部材、および前記左側支持台受け部材は配置されており、
前記コレクターが前記昇降操作における前記最下位置にあるとき、前記右側リンクフレーム当接部材の当接面が前記右側支持台受け部材の受け面に当接するように、前記右側リンクフレーム当接部材、および前記右側支持台受け部材は配置されており、
前記左側支持台受け部材の前記受け面は、傾斜しており、
前記右側支持台受け部材の前記受け面は、傾斜していることを特徴とする乗用草刈機。
【請求項２】
前記左側支持台受け部材の前記受け面は、前記左右方向に関して、左側が右側より低くなるように傾斜しており、
前記右側支持台受け部材の前記受け面は、前記左右方向に関して、右側が左側より低くなるように傾斜していることを特徴とする請求項１に記載の乗用草刈機。
【請求項３】
前記左側支持台受け部材の前記受け面は、前記車体の前後方向に関して、後側が前側より低くなるように傾斜しており、
前記右側支持台受け部材の前記受け面は、前記前後方向に関して、後側が前側より低くなるように傾斜していることを特徴とする請求項２に記載の乗用草刈機。
【請求項４】
前記コレクターのダンプ操作を行う、前記コレクター昇降リンク機構に取付けられたコレクターダンプ機構を備え、
前記コレクターのコレクター底フレームには、左側コレクター底フレーム当接部材、および右側コレクター底フレーム当接部材が前記左右方向に関して一対で設けられており、
前記コレクター昇降リンク機構の前記リンクフレームには、左側リンクフレーム受け部材、および右側リンクフレーム受け部材が前記左右方向に関して一対で設けられており、
前記コレクターが前記ダンプ操作における最下位置にあるとき、前記左側コレクター底フレーム当接部材の当接面が前記左側リンクフレーム受け部材の受け面に当接するように、前記左側コレクター底フレーム当接部材、および前記左側リンクフレーム受け部材は配置されており、
前記コレクターが前記ダンプ操作における前記最下位置にあるとき、前記右側コレクター底フレーム当接部材の当接面が前記右側リンクフレーム受け部材の受け面に当接するように、前記右側コレクター底フレーム当接部材、および前記右側リンクフレーム受け部材は配置されており、
前記左側リンクフレーム受け部材の前記受け面は、傾斜しており、
前記右側リンクフレーム受け部材の前記受け面は、傾斜していることを特徴とする請求項１から３の何れかに記載の乗用草刈機。
【発明の詳細な説明】
【技術分野】
【０００１】
本発明は、草刈作業を行うための乗用草刈機に関する。
【背景技術】
【０００２】
車体と、草を刈取る、車体に取付けられたモアーと、刈取られた草を収容するコレクターと、コレクターの昇降操作を行うコレクター昇降リンク機構と、を備えた乗用草刈機が、知られている（たとえば、特許文献１参照）。
【０００３】
コレクター昇降リンク機構のリンクフレームには、リンクフレーム当接部材が設けられており、車体の支持台には、支持台受け部材が設けられており、コレクターが昇降操作における最下位置にあるとき、リンクフレーム当接部材の当接面が支持台受け部材の受け面に当接するように、リンクフレーム当接部材、および支持台受け部材は配置されている。
【先行技術文献】
【特許文献】
【０００４】
【特許文献１】特開２００９−０８９６５７号公報
【発明の概要】
【発明が解決しようとする課題】
【０００５】
しかしながら、本発明者は、上述された従来の乗用草刈機においては、コレクターを最下位置において車体の中央に傾斜なく収容することが困難であることに気付いた。
【０００６】
そして、本発明者は、たとえば、フレーム変形または破損を抑制するために、コレクターを最下位置において車体の中央に傾斜なく収容することが重要であると考えている。
【０００７】
本発明は、上述された従来の課題を考慮し、コレクターを最下位置において車体の中央に傾斜なく収容することができる乗用草刈機を提供することを目的とする。
【課題を解決するための手段】
【０００８】
第１の本発明は、車体と、
草を刈取る、前記車体に取付けられたモアーと、
前記刈取られた草を収容するコレクターと、
前記コレクターの昇降操作を行うコレクター昇降リンク機構と、
を備え、
前記コレクター昇降リンク機構のリンクフレームには、左側リンクフレーム当接部材、および右側リンクフレーム当接部材が前記車体の左右方向に関して一対で設けられており、
前記車体の支持台には、左側支持台受け部材、および右側支持台受け部材が前記左右方向に関して一対で設けられており、
前記コレクターが前記昇降操作における最下位置にあるとき、前記左側リンクフレーム当接部材の当接面が前記左側支持台受け部材の受け面に当接するように、前記左側リンクフレーム当接部材、および前記左側支持台受け部材は配置されており、
前記コレクターが前記昇降操作における前記最下位置にあるとき、前記右側リンクフレーム当接部材の当接面が前記右側支持台受け部材の受け面に当接するように、前記右側リンクフレーム当接部材、および前記右側支持台受け部材は配置されており、
前記左側支持台受け部材の前記受け面は、傾斜しており、
前記右側支持台受け部材の前記受け面は、傾斜していることを特徴とする乗用草刈機である。
【０００９】
これにより、左側支持台受け部材の受け面は、傾斜しており、右側支持台受け部材の受け面は、傾斜しているので、コレクターを最下位置において車体の中央に傾斜なく収容することができる。
【００１０】
第２の本発明は、前記左側支持台受け部材の前記受け面は、前記左右方向に関して、左側が右側より低くなるように傾斜しており、
前記右側支持台受け部材の前記受け面は、前記左右方向に関して、右側が左側より低くなるように傾斜していることを特徴とする第１の本発明の乗用草刈機である。
【００１１】
これにより、左側支持台受け部材の受け面は、左右方向に関して、左側が右側より低くなるように傾斜しており、右側支持台受け部材の受け面は、左右方向に関して、右側が左側より低くなるように傾斜しているので、単純な構成で、コレクターを最下位置において車体の中央に傾斜なく収容することができる。
【００１２】
第３の本発明は、前記左側支持台受け部材の前記受け面は、前記車体の前後方向に関して、後側が前側より低くなるように傾斜しており、
前記右側支持台受け部材の前記受け面は、前記前後方向に関して、後側が前側より低くなるように傾斜していることを特徴とする第２の本発明の乗用草刈機である。
【００１３】
これにより、左側支持台受け部材の受け面は、車体の前後方向に関して、後側が前側より低くなるように傾斜しており、右側支持台受け部材の受け面は、前後方向に関して、後側が前側より低くなるように傾斜しているので、左側リンクフレーム当接部材の当接面および右側リンクフレーム当接部材の当接面をそれぞれ後方からしっかりと左側支持台受け部材の受け面および右側支持台受け部材の受け面に当接させることができる。
【００１４】
第４の本発明は、前記コレクターのダンプ操作を行う、前記コレクター昇降リンク機構に取付けられたコレクターダンプ機構を備え、
前記コレクターのコレクター底フレームには、左側コレクター底フレーム当接部材、および右側コレクター底フレーム当接部材が前記左右方向に関して一対で設けられており、
前記コレクター昇降リンク機構の前記リンクフレームには、左側リンクフレーム受け部材、および右側リンクフレーム受け部材が前記左右方向に関して一対で設けられており、
前記コレクターが前記ダンプ操作における最下位置にあるとき、前記左側コレクター底フレーム当接部材の当接面が前記左側リンクフレーム受け部材の受け面に当接するように、前記左側コレクター底フレーム当接部材、および前記左側リンクフレーム受け部材は配置されており、
前記コレクターが前記ダンプ操作における前記最下位置にあるとき、前記右側コレクター底フレーム当接部材の当接面が前記右側リンクフレーム受け部材の受け面に当接するように、前記右側コレクター底フレーム当接部材、および前記右側リンクフレーム受け部材は配置されており、
前記左側リンクフレーム受け部材の前記受け面は、傾斜しており、
前記右側リンクフレーム受け部材の前記受け面は、傾斜していることを特徴とする第１から第３の何れかの本発明の乗用草刈機である。
【００１５】
これにより、左側リンクフレーム受け部材の受け面は、傾斜しており、右側リンクフレーム受け部材の受け面は、傾斜しているので、コレクターを最下位置においてコレクター昇降リンク機構の中央に傾斜なく収容することができる。
【発明の効果】
【００１６】
本発明により、コレクターを最下位置において車体の中央に傾斜なく収容することが可能な乗用草刈機を提供することができる。
【図面の簡単な説明】
【００１７】
【図１】本発明における実施の形態の乗用草刈機の模式的な左側面図
【図２】本発明における実施の形態の乗用草刈機の斜視図
【図３】本発明における実施の形態の乗用草刈機の背面図（その一）
【図４】本発明における実施の形態の乗用草刈機のコレクター昇降リンク機構およびコレクターダンプリンク機構近傍の部分斜視図（その一）
【図５】本発明における実施の形態の乗用草刈機のコレクター昇降リンク機構およびコレクターダンプリンク機構近傍の部分斜視図（その二）
【図６】本発明における実施の形態の乗用草刈機のコレクター昇降リンク機構およびコレクターダンプリンク機構近傍の部分左側面図
【図７】本発明における実施の形態の乗用草刈機のコレクター底フレーム近傍の部分斜視図
【図８】本発明における実施の形態の乗用草刈機の支持台近傍の部分斜視図
【図９】本発明における実施の形態の乗用草刈機のリンクフレーム近傍の部分斜視図
【図１０】本発明における実施の形態の乗用草刈機の背面図（その二）
【図１１】本発明における実施の形態の乗用草刈機の背面図（その三）
【図１２】本発明に関連する発明における実施の形態の乗用草刈機のリンクフレーム近傍の部分斜視図
【図１３】（ａ）本発明に関連する発明における実施の形態の乗用草刈機のリンクフレーム近傍の部分上面図、（ｂ）本発明に関連する発明における実施の形態の乗用草刈機のリンクフレーム近傍の部分正面図、（ｃ）本発明に関連する発明における実施の形態の乗用草刈機のリンクフレーム近傍の部分左側面図
【図１４】本発明に関連する発明における実施の形態の乗用草刈機のコレクター昇降リンク機構、コレクターダンプ機構およびコレクターダンプリンク機構近傍の部分斜視図
【図１５】本発明に関連する発明における実施の形態の乗用草刈機のコレクター昇降リンク機構およびコレクターダンプリンク機構近傍の部分斜視図
【図１６】（ａ）本発明における実施の形態の乗用草刈機のコレクター底フレーム近傍の部分上面図、（ｂ）本発明における実施の形態の乗用草刈機のコレクター底フレーム近傍の部分正面図、（ｃ）本発明における実施の形態の乗用草刈機のコレクター底フレーム近傍の部分左側面図
【発明を実施するための形態】
【００１８】
以下、図面を参照しながら、本発明における実施の形態について詳細に説明する。
【００１９】
はじめに、図１〜３を参照しながら、本実施の形態の乗用草刈機の構成および動作について具体的に説明する。
【００２０】
ここに、図１は本発明における実施の形態の乗用草刈機の模式的な左側面図であり、図２は本発明における実施の形態の乗用草刈機の斜視図であり、図３は本発明における実施の形態の乗用草刈機の背面図（その一）である。
【００２１】
図１においては、コレクター７００が昇降操作およびダンプ操作における最上位置にある状態が二点鎖線で示されている。
【００２２】
図２においては、車体１００などの構成がより理解しやすくなるように、モアー６０およびコレクター昇降機構３００は示されていない。
【００２３】
本実施の形態の乗用草刈機は、モアー６０と、ブロワー５０と、コレクター７００と、を備える。モアー６０は、モアーデッキ６１を有する、草を刈り取るためのユニットである。ブロワー５０は、刈り取られた草を吸引するためのユニットである。コレクター７００は、吸引された草を収容するためのユニットである。
【００２４】
左側前輪３１Ｌおよび右側前輪３１Ｒ、ならびに左側後輪３２Ｌおよび右側後輪３２Ｒにより支持された車体１００の前部には、作業者が運転を行うための操縦部４０が設けられている。操縦部４０には、作業者が操縦を行うためのステアリングハンドル４１が設けられている。操縦部４０には、作業者が操縦を行うときに座るシート４２、およびシートベルト４３なども設けられている。
【００２５】
モアー６０は、刈り取られた草を搬送するための刈草搬送シュート５１によりブロワー５０と連通されている。ブロワー５０により搬送されてくる草は、シューター５２を通ってコレクター７００内に排出される。
【００２６】
エンジン２０により発生された動力は、左側後輪３２Ｌおよび右側後輪３２Ｒのアクスルケースの上側に配置されたＨＳＴ（Ｈｙｄｒｏ  Ｓｔａｔｉｃ  Ｔｒａｎｓｍｉｓｓｉｏｎ）を介して左側後輪３２Ｌおよび右側後輪３２Ｒに伝達され、ボンネット１３内のエンジン２０とブロワー５０との間に配置されたＰＴＯ（Ｐｏｗｅｒ  Ｔａｋｅ  Ｏｆｆ）クラッチ２１を介してブロワー５０にも伝達される。
【００２７】
コレクター昇降機構３００は、車体１００に取付けられたモアー６０により刈取られた草を収容するコレクター７００の昇降操作を行う機構である。
【００２８】
コレクターダンプ機構５００は、コレクター７００のダンプ操作を行う、コレクター昇降リンク機構４００に取付けられた機構である。
【００２９】
つぎに、図１〜７を主として参照しながら、本実施の形態の乗用草刈機の構成および動作についてより具体的に説明する。
【００３０】
ここに、図４および５は本発明における実施の形態の乗用草刈機のコレクター昇降リンク機構４００およびコレクターダンプリンク機構６００近傍の部分斜視図（その一および二）であり、図６は本発明における実施の形態の乗用草刈機のコレクター昇降リンク機構４００およびコレクターダンプリンク機構６００近傍の部分左側面図であり、図７は本発明における実施の形態の乗用草刈機のコレクター底フレーム７２０近傍の部分斜視図である。
【００３１】
図４においてはコレクター昇降リンク機構４００を上方から見ており、図５においてはコレクター昇降リンク機構４００を下方から見ている。図５においては、左側ダンプリンクアーム部材６１０Ｌおよび右側リンクフレーム当接部材４５０Ｒは示されていない。
【００３２】
仕切部材１１は操縦部４０の後方に配置されたメッシュ状の部材であり、左側支柱部材２００Ｌおよび右側支柱部材２００Ｒは仕切部材１１の後方に配置されている。安全フレーム１２は、右側支柱部材２００Ｒの上端部と右側支柱部材２００Ｒの上端部とを連結する、Ｕ字形状のＲＯＰＳ（Ｒｏｌｌ  Ｏｖｅｒ  Ｐｒｏｔｅｃｔｉｏｎ  Ｓｔｒｕｃｔｕｒｅ）フレームである。
【００３３】
コレクター本体７１０は、開閉されるコレクタードア７１１を有する、刈取られた草を収容するための樹脂部材である。
【００３４】
左側リンク支点部材２１０Ｌは左側支柱部材２００Ｌの上部に取付けられており、左側昇降シリンダー支点部材２２０Ｌは左側支柱部材２００Ｌの下部に取付けられている。左側ロウワーリンクアーム接続部材４２１Ｌは、左側ロウワーリンクアーム部材４２０Ｌに取付けられている。
【００３５】
左側アッパーリンクアーム部材４１０Ｌの前端部は回動可能に左側リンク支点部材２１０Ｌの上部に取付けられており、左側ロウワーリンクアーム部材４２０Ｌの前端部は回動可能に左側リンク支点部材２１０Ｌの下部に取付けられている。
【００３６】
左側昇降シリンダー部材３１０Ｌの前端部は回動可能に左側昇降シリンダー支点部材２２０Ｌに取付けられており、左側昇降シリンダー部材３１０Ｌの後端部は回動可能に左側ロウワーリンクアーム接続部材４２１Ｌに取付けられている。
【００３７】
右側リンク支点部材２１０Ｒは右側支柱部材２００Ｒの上部に取付けられており、右側昇降シリンダー支点部材２２０Ｒは右側支柱部材２００Ｒの下部に取付けられている。右側ロウワーリンクアーム接続部材４２１Ｒは、右側ロウワーリンクアーム部材４２０Ｒに取付けられている。
【００３８】
右側アッパーリンクアーム部材４１０Ｒの前端部は回動可能に右側リンク支点部材２１０Ｒの上部に取付けられており、右側ロウワーリンクアーム部材４２０Ｒの前端部は回動可能に右側リンク支点部材２１０Ｒの下部に取付けられている。
【００３９】
右側昇降シリンダー部材３１０Ｒの前端部は回動可能に右側昇降シリンダー支点部材２２０Ｒに取付けられており、右側昇降シリンダー部材３１０Ｒの後端部は回動可能に右側ロウワーリンクアーム接続部材４２１Ｒに取付けられている。
【００４０】
左側リンクフレーム支点部材４３２Ｌは左側リンクフレーム接続部材４３３Ｌを介してリンクフレーム本体４３１の左前端部に取付けられており、右側リンクフレーム支点部材４３２Ｒは右側リンクフレーム接続部材４３３Ｒを介してリンクフレーム本体４３１の右前端部に取付けられている。
【００４１】
左側アッパーリンクアーム部材４１０Ｌの後端部は回動可能に左側リンクフレーム支点部材４３２Ｌの上部に取付けられており、左側ロウワーリンクアーム部材４２０Ｌの後端部は回動可能に左側リンクフレーム支点部材４３２Ｌの下部に取付けられている。
【００４２】
右側アッパーリンクアーム部材４１０Ｒの後端部は回動可能に右側リンクフレーム支点部材４３２Ｒの上部に取付けられており、右側ロウワーリンクアーム部材４２０Ｒの後端部は回動可能に右側リンクフレーム支点部材４３２Ｒの下部に取付けられている。
【００４３】
左側ダンプリンク支点部材４３４Ｌはリンクフレーム本体４３１の左後部に取付けられており、右側ダンプリンク支点部材４３４Ｒはリンクフレーム本体４３１の右後部に取付けられている。
【００４４】
第１の左側コレクター底フレーム接続部材７２１Ｌはコレクター底フレーム７２０の左後部に取付けられており、第１の右側コレクター底フレーム接続部材７２１Ｒはコレクター底フレーム７２０の右後部に取付けられている。
【００４５】
左側ダンプリンクアーム部材６１０Ｌの前部は第１の左側コレクター底フレーム接続部材７２１Ｌの右側部に取付けられており、左側ダンプリンクアーム部材６１０Ｌの後端部は回動可能に左側ダンプリンク支点部材４３４Ｌに取付けられている。
【００４６】
右側ダンプリンクアーム部材６１０Ｒの前部は第１の右側コレクター底フレーム接続部材７２１Ｒの左側部に取付けられており、右側ダンプリンクアーム部材６１０Ｒの後端部は回動可能に右側ダンプリンク支点部材４３４Ｒに取付けられている。
【００４７】
第２の左側コレクター底フレーム接続部材７２２Ｌは第１の左側コレクター底フレーム接続部材７２１Ｌの左側部に取付けられており、第２の右側コレクター底フレーム接続部材７２２Ｒは第１の右側コレクター底フレーム接続部材７２１Ｒの右側部に取付けられている。
【００４８】
左側ダンプシリンダー部材５１０Ｌの前端部は回動可能に左側リンクフレーム支点部材４３２Ｌの右側部に取付けられており、左側ダンプシリンダー部材５１０Ｌの後端部は回動可能に第２の左側コレクター底フレーム接続部材７２２Ｌに取付けられている。
【００４９】
右側ダンプシリンダー部材５１０Ｒの前端部は回動可能に右側リンクフレーム支点部材４３２Ｒの左側部に取付けられており、右側ダンプシリンダー部材５１０Ｒの後端部は回動可能に第２の右側コレクター底フレーム接続部材７２２Ｒに取付けられている。
【００５０】
つぎに、図７〜９を主として参照しながら、本実施の形態の乗用草刈機の構成および動作についてもっとより具体的に説明する。
【００５１】
ここに、図８は本発明における実施の形態の乗用草刈機の支持台１１０近傍の部分斜視図であり、図９は本発明における実施の形態の乗用草刈機のリンクフレーム４３０近傍の部分斜視図である。
【００５２】
コレクター昇降リンク機構４００のリンクフレーム４３０には、左側リンクフレーム当接部材４５０Ｌ、および右側リンクフレーム当接部材４５０Ｒが車体１００の左右方向に関して一対で設けられている。車体１００の支持台１１０には、左側支持台受け部材１５０Ｌ、および右側支持台受け部材１５０Ｒが左右方向に関して一対で設けられている。
【００５３】
左側支持台受け部材１５０Ｌ、および右側支持台受け部材１５０Ｒは支持台１１０の選択可能なボルト孔を利用するボルト締結により支持台１１０に取付けられており、溶接仕様とは異なり、支持台受け部材取付け高さが容易に調整される支持台受け部材ブラケット組立仕様が採用されている。
【００５４】
図１０および１１に示されているように、支持台受け部材取付け高さが調整されるときには、テール部材１１１などは取外されてもよい。
【００５５】
ここに、図１０および１１は、本発明における実施の形態の乗用草刈機の背面図（その二および三）である。
【００５６】
図１０においてはコレクター本体７１０は取外されているがテール部材１１１は取付けられている状態が示されており、図１１においてはコレクター本体７１０およびテール部材１１１が両方とも取外されている状態が示されている。
【００５７】
したがって、支持台受け部材取付け高さの上下調整は、ＲＯＰＳフレーム調整およびリンク調整などを必要とせず、容易である。
【００５８】
そして、コレクター７００が昇降操作における最下位置にあるとき、左側支持台受け部材１５０Ｌ、および右側支持台受け部材１５０Ｒはリンクフレーム本体４３１の角パイプ下面より高いので、コレクター７００の昇降操作における最下位置が低くなりすぎず、コレクター７００の昇降操作における最上位置を与える、コレクター７００のリフト高さが十分に確保される。
【００５９】
左側支持台受け部材１５０Ｌの受け面１５１Ｌ、および右側支持台受け部材１５０Ｒの受け面１５１Ｒは、傾斜している。
【００６０】
受け面１５１Ｌと水平面との間の角度は４５度であり、受け面１５１Ｒと水平面との間の角度は４５度である。
【００６１】
コレクター７００が昇降操作における最下位置にあるとき、左側リンクフレーム当接部材４５０Ｌの当接面４５１Ｌが左側支持台受け部材１５０Ｌの受け面１５１Ｌに当接するように、左側リンクフレーム当接部材４５０Ｌ、および左側支持台受け部材１５０Ｌは配置されている。コレクター７００が昇降操作における最下位置にあるとき、右側リンクフレーム当接部材４５０Ｒの当接面４５１Ｒが右側支持台受け部材１５０Ｒの受け面１５１Ｒに当接するように、右側リンクフレーム当接部材４５０Ｒ、および右側支持台受け部材１５０Ｒは配置されている。
【００６２】
したがって、受け面１５１Ｌと水平面との間の角度は４５度であるので、当接面４５１Ｌと水平面との間の角度は４５度であり、受け面１５１Ｒと水平面との間の角度は４５度であるので、当接面４５１Ｒと水平面との間の角度は４５度である。
【００６３】
左側支持台受け部材１５０Ｌの受け面１５１Ｌは、左右方向に関して、左側が右側より低くなるように傾斜しており、右側支持台受け部材１５０Ｒの受け面１５１Ｒは、左右方向に関して、右側が左側より低くなるように傾斜している。
【００６４】
コレクターベースフレームとして機能する支持台１１０の上面には、背面視において左右対称である、左側支持台受け部材１５０Ｌ、および右側支持台受け部材１５０Ｒが逆Ｖ字形状に配置されている。したがって、コレクター７００が左右方向に関して傾斜している状態での降下操作が行われても、位置ずれはコレクター７００の自重などで自然に修正され、コレクター７００は最下位置において車体１００の中央に傾斜なく収容される。そして、コレクター昇降リンク機構４００の調整がやや不十分であっても、左側支持台受け部材１５０Ｌ、および右側支持台受け部材１５０Ｒへの過度な負荷が印加されないので、受け部材変形または破損のみならずフレーム変形または破損もほとんど発生しない。
【００６５】
左側支持台受け部材１５０Ｌの受け面１５１Ｌは、車体１００の前後方向に関して、後側が前側より低くなるように傾斜しており、右側支持台受け部材１５０Ｒの受け面１５１Ｒは、前後方向に関して、後側が前側より低くなるように傾斜している。
【００６６】
コレクター７００の降下操作は、まっすぐにではなく、矢印Ｘの向きの円弧形状の軌跡に沿って行われる。したがって、受け面１５１Ｌおよび１５１Ｒは後側が前側より低くなるように傾斜しているので、当接面４５１Ｌおよび４５１Ｒはそれぞれ後方からしっかりと受け面１５１Ｌおよび１５１Ｒに当接する。
【００６７】
コレクター７００のコレクター底フレーム７２０には、左側コレクター底フレーム当接部材７５０Ｌ、および右側コレクター底フレーム当接部材７５０Ｒが左右方向に関して一対で設けられている。コレクター昇降リンク機構４００のリンクフレーム４３０には、左側リンクフレーム受け部材４６０Ｌ、および右側リンクフレーム受け部材４６０Ｒが左右方向に関して一対で設けられている。
【００６８】
左側リンクフレーム受け部材４６０Ｌの受け面４６１Ｌ、および右側リンクフレーム受け部材４６０Ｒの受け面４６１Ｒは、傾斜している。
【００６９】
受け面４６１Ｌと水平面との間の角度は４５度であり、受け面４６１Ｒと水平面との間の角度は４５度である。
【００７０】
コレクター７００がダンプ操作における最下位置にあるとき、左側コレクター底フレーム当接部材７５０Ｌの当接面７５１Ｌが左側リンクフレーム受け部材４６０Ｌの受け面４６１Ｌに当接するように、左側コレクター底フレーム当接部材７５０Ｌ、および左側リンクフレーム受け部材４６０Ｌは配置されている。コレクター７００がダンプ操作における最下位置にあるとき、右側コレクター底フレーム当接部材７５０Ｒの当接面７５１Ｒが右側リンクフレーム受け部材４６０Ｒの受け面４６１Ｒに当接するように、右側コレクター底フレーム当接部材７５０Ｒ、および右側リンクフレーム受け部材４６０Ｒは配置されている。
【００７１】
したがって、受け面４６１Ｌと水平面との間の角度は４５度であるので、当接面７５１Ｌと水平面との間の角度は４５度であり、受け面４６１Ｒと水平面との間の角度は４５度であるので、当接面７５１Ｒと水平面との間の角度は４５度である。
【００７２】
左側リンクフレーム受け部材４６０Ｌの受け面４６１Ｌは、左右方向に関して、右側が左側より低くなるように傾斜しており、右側リンクフレーム受け部材４６０Ｒの受け面４６１Ｒは、左右方向に関して、左側が右側より低くなるように傾斜している。
【００７３】
リンクフレーム４３０の上面には、背面視において左右対称である、左側リンクフレーム受け部材４６０Ｌ、および右側リンクフレーム受け部材４６０ＲがＶ字形状に配置されている。したがって、コレクター７００が左右方向に関して傾斜している状態でのダンプ操作が行われても、位置ずれはコレクター７００の自重などで自然に修正され、コレクター７００は最下位置においてコレクター昇降リンク機構４００の中央に傾斜なく収容される。そして、コレクターダンプリンク機構６００の調整がやや不十分であっても、左側リンクフレーム受け部材４６０Ｌ、および右側リンクフレーム受け部材４６０Ｒへの過度な負荷が印加されないので、受け部材変形または破損のみならずフレーム変形または破損もほとんど発生しない。
【００７４】
左側リンクフレーム受け部材４６０Ｌの受け面４６１Ｌは、前後方向に関して、前側が後側より低くなるように傾斜していてもよく、右側リンクフレーム受け部材４６０Ｒの受け面４６１Ｒは、前後方向に関して、前側が後側より低くなるように傾斜していてもよい。
【００７５】
コレクター７００のダンプ操作は、まっすぐにではなく、矢印Ｙの向きの円弧形状の軌跡に沿って行われる。したがって、受け面４６１Ｌおよび４６１Ｒは前側が後側より低くなるように傾斜していてもよく、すると当接面７５１Ｌおよび７５１Ｒはそれぞれ前方からしっかりと受け面４６１Ｌおよび４６１Ｒに当接する。
【００７６】
つぎに、左側リンクフレーム支点部材４３２Ｌおよび右側リンクフレーム支点部材４３２Ｒに関連する構成要素などについて具体的に説明する。
【００７７】
（Ａ）図１２および１３を主として参照しながら、左側リンクフレーム支点部材４３２Ｌおよび右側リンクフレーム支点部材４３２Ｒに関連する構成要素について具体的に説明する。
【００７８】
ここに、図１２は本発明に関連する発明における実施の形態の乗用草刈機のリンクフレーム４３０近傍の部分斜視図であり、図１３（ａ）は本発明に関連する発明における実施の形態の乗用草刈機のリンクフレーム４３０近傍の部分上面図であり、図１３（ｂ）は本発明に関連する発明における実施の形態の乗用草刈機のリンクフレーム４３０近傍の部分正面図であり、図１３（ｃ）は本発明に関連する発明における実施の形態の乗用草刈機のリンクフレーム４３０近傍の部分左側面図である。
【００７９】
上述されたように、左側ダンプシリンダー部材５１０Ｌの前端部は回動可能に左側リンクフレーム支点部材４３２Ｌの右側部に取付けられており、右側ダンプシリンダー部材５１０Ｒの前端部は回動可能に右側リンクフレーム支点部材４３２Ｒの左側部に取付けられている。
【００８０】
つまり、左側リンクフレーム支点部材４３２Ｌは、左側アッパーリンクアーム部材４１０Ｌおよび左側ロウワーリンクアーム部材４２０Ｌの取付けにのみならず、左側ダンプシリンダー部材５１０Ｌの取付けにも利用され、右側リンクフレーム支点部材４３２Ｒは、右側アッパーリンクアーム部材４１０Ｒおよび右側ロウワーリンクアーム部材４２０Ｒの取付けにのみならず、右側ダンプシリンダー部材５１０Ｒの取付けにも利用される。
【００８１】
左側リンクフレーム支点部材４３２Ｌおよび右側リンクフレーム支点部材４３２Ｒの断面形状はＵ字形状であり、左側ダンプシリンダー部材５１０Ｌおよび右側ダンプシリンダー部材５１０ＲはＵ字形状を左右方向に関して貫通する左側ダンプシリンダー支点ピン５１１Ｌおよび右側ダンプシリンダー支点ピン５１１Ｒをそれぞれ利用してしっかりと取付けられている。
【００８２】
したがって、左側ダンプシリンダー部材５１０Ｌおよび右側ダンプシリンダー部材５１０Ｒの取付けおよび補強のための専用部材は、不要である。
【００８３】
そして、断面視においてＵ字形状である左側リンクフレーム支点部材４３２Ｌおよび右側リンクフレーム支点部材４３２Ｒに対する溶接が行われても、左側ダンプシリンダー支点ピン５１１Ｌおよび右側ダンプシリンダー支点ピン５１１Ｒは溶接歪みに起因するＵ字形状の開きを抑制する、左側リンクフレーム支点部材４３２Ｌおよび右側リンクフレーム支点部材４３２Ｒの補強部材として機能するので、溶接にともなう左側リンクフレーム支点部材４３２Ｌおよび右側リンクフレーム支点部材４３２Ｒなどの熱変形の修正は不要である。
【００８４】
さらに、リンクフレーム４３０は、草を収容して昇降されるコレクター７００を支えるのみならず、ダンプシリンダー部材支点としても機能するので、部品点数はかなり削減される。
【００８５】
（Ｂ）図１４〜１６を主として参照しながら、左側ダンプリンク支点部材４３４Ｌおよび右側ダンプリンク支点部材４３４Ｒに関連する構成要素について具体的に説明する。
【００８６】
ここに、図１４は本発明に関連する発明における実施の形態の乗用草刈機のコレクター昇降リンク機構４００、コレクターダンプ機構５００およびコレクターダンプリンク機構６００近傍の部分斜視図であり、図１５は本発明に関連する発明における実施の形態の乗用草刈機のコレクター昇降リンク機構４００およびコレクターダンプリンク機構６００近傍の部分斜視図であり、図１６（ａ）は本発明における実施の形態の乗用草刈機のコレクター底フレーム７２０近傍の部分上面図であり、図１６（ｂ）は本発明における実施の形態の乗用草刈機のコレクター底フレーム７２０近傍の部分正面図であり、図１６（ｃ）は本発明における実施の形態の乗用草刈機のコレクター底フレーム７２０近傍の部分左側面図である。
【００８７】
上述されたように、左側ダンプリンク支点部材４３４Ｌはリンクフレーム本体４３１の左後部に取付けられており、右側ダンプリンク支点部材４３４Ｒはリンクフレーム本体４３１の右後部に取付けられている。
【００８８】
そして、左側ダンプリンクアーム支点ピンおよび右側ダンプリンクアーム支点ピンがそれぞれ挿入される左側ダンプリンク支点部材４３４Ｌおよび右側ダンプリンク支点部材４３４Ｒは、リンクフレーム本体４３１の曲がった角パイプ部分にではなく、リンクフレーム本体４３１のまっすぐな角パイプ部分に溶接で取付けられている。
【００８９】
曲がった角パイプ部分の上面には、降下操作が行われるときにコレクター７００がリンクフレーム本体４３１の上でぐらぐらと揺れないように、内側が外側と比べてより低い傾斜が設けられているので、溶接時に隙間が発生しやすいが、まっすぐな角パイプ部分の上面には、このような傾斜は設けられていない。
【００９０】
したがって、隙間の少ない箇所での溶接は短時間で容易に完了するので、左側ダンプリンク支点部材４３４Ｌおよび右側ダンプリンク支点部材４３４Ｒの溶接にともなうリンクフレーム本体４３１などの熱変形の修正は不要である。
【００９１】
そして、左側ダンプリンクアーム部材６１０Ｌの前部は第１の左側コレクター底フレーム接続部材７２１Ｌの右側部に取付けられており、右側ダンプリンクアーム部材６１０Ｒの前部は第１の右側コレクター底フレーム接続部材７２１Ｒの左側部に取付けられており、左側ダンプシリンダー部材５１０Ｌおよび右側ダンプシリンダー部材５１０Ｒのみならず、左側ダンプリンクアーム部材６１０Ｌおよび右側ダンプリンクアーム部材６１０Ｒはコレクター昇降リンク機構４００の内側に取付けられている。
【００９２】
したがって、左側ダンプリンクアーム部材６１０Ｌおよび右側ダンプリンクアーム部材６１０Ｒは長孔形状のボルト孔を利用するボルト締結により第１の左側コレクター底フレーム接続部材７２１Ｌおよび右側コレクター底フレーム接続部材７２１Ｒにそれぞれ取付けられているので、部品構成はかなり単純化される。
【００９３】
（Ｃ）なお、左側リンクフレーム当接部材４５０Ｌおよび右側リンクフレーム当接部材４５０Ｒ、ならびに左側支持台受け部材１５０Ｌおよび右側支持台受け部材１５０Ｒは設けられていないが、左側コレクター底フレーム当接部材７５０Ｌおよび右側コレクター底フレーム当接部材７５０Ｒ、ならびに左側リンクフレーム受け部材４６０Ｌおよび右側リンクフレーム受け部材４６０Ｒは設けられている、本発明に関連する発明における実施の形態の乗用草刈機も、考えられる。
【産業上の利用可能性】
【００９４】
本発明における乗用草刈機は、コレクターを最下位置において車体の中央に傾斜なく収容することができ、草刈作業を行うための乗用草刈機に利用する目的に有用である。
【符号の説明】
【００９５】
１１  仕切部材
１２  安全フレーム
１３  ボンネット
２０  エンジン
２１  ＰＴＯクラッチ
３１Ｌ  左側前輪
３１Ｒ  右側前輪
３２Ｌ  左側後輪
３２Ｒ  右側後輪
４０  操縦部
４１  ステアリングハンドル
４２  シート
４３  シートベルト
５０  ブロワー
５１  刈草搬送シュート
５２  シューター
６０  モアー
６１  モアーデッキ
１００  車体
１１０  支持台
１１１  テール部材
１５０Ｌ  左側支持台受け部材
１５０Ｒ  右側支持台受け部材
１５１Ｌ  受け面
１５１Ｒ  受け面
２００Ｌ  左側支柱部材
２００Ｒ  右側支柱部材
２１０Ｌ  左側リンク支点部材
２１０Ｒ  右側リンク支点部材
２２０Ｌ  左側昇降シリンダー支点部材
２２０Ｒ  右側昇降シリンダー支点部材
３００  コレクター昇降機構
３１０Ｌ  左側昇降シリンダー部材
３１０Ｒ  右側昇降シリンダー部材
４００  コレクター昇降リンク機構
４１０Ｌ  左側アッパーリンクアーム部材
４１０Ｒ  右側アッパーリンクアーム部材
４２０Ｌ  左側ロウワーリンクアーム部材
４２０Ｒ  右側ロウワーリンクアーム部材
４２１Ｌ  左側ロウワーリンクアーム接続部材
４２１Ｒ  右側ロウワーリンクアーム接続部材
４３０  リンクフレーム
４３１  リンクフレーム本体
４３２Ｌ  左側リンクフレーム支点部材
４３２Ｒ  右側リンクフレーム支点部材
４３３Ｌ  左側リンクフレーム接続部材
４３３Ｒ  右側リンクフレーム接続部材
４３４Ｌ  左側ダンプリンク支点部材
４３４Ｒ  右側ダンプリンク支点部材
４５０Ｌ  左側リンクフレーム当接部材
４５０Ｒ  右側リンクフレーム当接部材
４５１Ｌ  当接面
４５１Ｒ  当接面
４６０Ｌ  左側リンクフレーム受け部材
４６０Ｒ  右側リンクフレーム受け部材
４６１Ｌ  受け面
４６１Ｒ  受け面
５００  コレクターダンプ機構
５１０Ｌ  左側ダンプシリンダー部材
５１０Ｒ  右側ダンプシリンダー部材
５１１Ｌ  左側ダンプシリンダー支点ピン
５１１Ｒ  右側ダンプシリンダー支点ピン
６００  コレクターダンプリンク機構
６１０Ｌ  左側ダンプリンクアーム部材
６１０Ｒ  右側ダンプリンクアーム部材
７００  コレクター
７１０  コレクター本体
７１１  コレクタードア
７２０  コレクター底フレーム
７２１Ｌ  第１の左側コレクター底フレーム接続部材
７２１Ｒ  第１の右側コレクター底フレーム接続部材
７２２Ｌ  第２の左側コレクター底フレーム接続部材
７２２Ｒ  第２の右側コレクター底フレーム接続部材
７５０Ｌ  左側コレクター底フレーム当接部材
７５０Ｒ  右側コレクター底フレーム当接部材
７５１Ｌ  当接面
７５１Ｒ  当接面
【図１】
2018102237.tif 000003
【図２】
2018102237.tif 000004
【図３】
2018102237.tif 000005
【図４】
2018102237.tif 000006
【図５】
2018102237.tif 000007
【図６】
2018102237.tif 000008
【図７】
2018102237.tif 000009
【図８】
2018102237.tif 000010
【図９】
2018102237.tif 000011
【図１０】
2018102237.tif 000012
【図１１】
2018102237.tif 000013
【図１２】
2018102237.tif 000014
【図１３】
2018102237.tif 000015
【図１４】
2018102237.tif 000016
【図１５】
2018102237.tif 000017
【図１６】
2018102237.tif 000018